(57)【要約】      （修正有）【課題】アプリケーションに対する実行命令が入力されると、外部機器にアプリケーションに対する制御画面を生成するための生成信号を伝送し、外部機器で制御画面を通じてユーザ命令が入力されると、受信されたユーザ命令に従ってアプリケーションの動作を操作するディスプレイ装置及びそのアプリケーション実行方法の提供。【解決手段】ディスプレイ装置は、アプリケーションに対する実行命令が入力されると、アプリケーションの実行画面をディスプレイし、ディスプレイ装置を遠隔制御するための外部機器にアプリケーションに対する制御画面を生成するための生成信号を伝送し、外部機器で生成信号によって制御画面が生成され、制御画面を通じてユーザ命令が入力されると、外部機器から前記ユーザ命令を受信し、受信されたユーザ命令に従って前記アプリケーションの動作を操作する。【選択図】図８
2013045467.tif 000002
【特許請求の範囲】
【請求項１】
ディスプレイ装置のアプリケーション実行方法において、
アプリケーションに対する実行命令が入力されると、前記アプリケーションの実行画面をディスプレイするステップと、
前記ディスプレイ装置を遠隔制御するための外部機器に、前記アプリケーションに対する制御画面を生成するための生成信号を伝送するステップと、
前記外部機器で前記生成信号によって前記制御画面が生成され、前記制御画面を通じてユーザ命令が入力されると、前記外部機器から前記ユーザ命令を受信するステップと、
前記受信されたユーザ命令に従って前記アプリケーションの動作を操作するステップと
を含むアプリケーション実行方法。
【請求項２】
外部サーバから前記アプリケーション及び前記アプリケーションに対応する制御画面データを受信するステップと、
前記制御画面データを前記外部機器に伝送するステップと
を更に含み、
前記生成信号は、
前記外部機器に伝送された前記制御画面データを用いて前記制御画面を生成するようにするコマンドであることを特徴とする請求項１に記載のアプリケーション実行方法。
【請求項３】
前記生成信号は、
前記アプリケーションに対応する制御画面データ及び前記制御画面を生成するようにするコマンドを含むことを特徴とする請求項１に記載のアプリケーション実行方法。
【請求項４】
前記生成信号は、
前記アプリケーション専用に設計されて構成され、前記アプリケーション専用制御命令またはイメージを含むＵＩウィンドウの形態で前記制御画面を表示するようにする信号であることを特徴とする請求項１に記載のアプリケーション実行方法。
【請求項５】
前記制御画面は、
特定アプリケーションに対する広告メッセージを表示するための広告領域を含むことを特徴とする請求項１ないし４のいずれか一項に記載のアプリケーション実行方法。
【請求項６】
前記広告メッセージ生成のためのデータが外部サーバから受信されると、前記データを前記外部機器に伝送するステップを更に含むことを特徴とする請求項５に記載のアプリケーション実行方法。
【請求項７】
前記外部機器上で前記広告領域が選択されると、前記選択された広告領域に対応する前記特定アプリケーションを外部サーバからダウンロードするステップと、
前記特定アプリケーションをインストールするステップと
を含むことを特徴とする請求項５に記載のアプリケーション実行方法。
【請求項８】
前記特定アプリケーションは、
新規でアップロードされたアプリケーションと、サービス提供者からのおすすめアプリケーションと、ユーザが指定したカテゴリに対するアプリケーション及び前記ディスプレイ装置で現在実行しているアプリケーションに関連するアプリケーションのいずれか一つであることを特徴とする請求項５に記載のアプリケーション実行方法。
【請求項９】
ディスプレイ装置において、
アプリケーションの実行画面をディスプレイするディスプレイ部と、
外部サーバ及び前記ディスプレイ装置を遠隔制御する外部機器と通信を行う通信部と、
前記アプリケーションに対する実行命令が入力されると、前記外部機器に前記アプリケーションに対する制御画面を生成するための生成信号を伝送し、前記外部機器で前記生成信号によって前記制御画面が生成され、前記制御画面を通じてユーザ命令が入力されると、前記外部機器から前記ユーザ命令を受信するように前記通信部を制御し、前記受信されたユーザ命令に従って前記アプリケーションの動作を操作する制御部と
を含むディスプレイ装置。
【請求項１０】
前記制御部は、
前記外部サーバから前記アプリケーション及び前記アプリケーションに対応する制御画面データを受信し、前記制御画面データを前記外部機器に伝送するように前記通信部を制御し、
前記生成信号は、
前記外部機器に伝送された前記制御画面データを用いて前記制御画面を生成するようにするコマンドであることを特徴とする請求項９に記載のディスプレイ装置。
【請求項１１】
前記生成信号は、
前記アプリケーションに対応する制御画面データ及び前記制御画面を生成するようにするコマンドを含むことを特徴とする請求項９に記載のディスプレイ装置。
【請求項１２】
前記生成信号は、
前記アプリケーション専用に設計されて構成され、前記アプリケーション専用制御命令またはイメージを含むＵＩウィンドウの形態で前記制御画面を表示するようにする信号であることを特徴とする請求項９に記載のディスプレイ装置。
【請求項１３】
前記制御画面は、
特定アプリケーションに対する広告メッセージを表示するための広告領域を含むことを特徴とする請求項９ないし１２のいずれか一項に記載のディスプレイ装置。
【請求項１４】
前記制御部は、
前記広告メッセージ生成のためのデータが外部サーバから受信されると、前記データを前記外部機器に伝送するステップを更に含むことを特徴とする請求項１３に記載のディスプレイ装置。
【請求項１５】
前記制御部は、
前記外部機器上で前記広告領域が選択されると、前記選択された広告領域に対応する前記特定アプリケーションを外部サーバからダウンロードするように前記通信部を制御し、前記特定アプリケーションをインストールすることを特徴とする請求項１３に記載のディスプレイ装置。
【発明の詳細な説明】
【技術分野】
【０００１】
本発明は、ディスプレイ装置及びそのアプリケーション実行方法、そしてディスプレイ装置を遠隔制御する外部機器及びそのアプリケーション制御画面の提供方法に関し、より詳細には、ディスプレイ画面が備えられた外部機器を通じて遠隔制御するディスプレイ装置及びそのアプリケーション実行方法、そして、外部機器及びそのアプリケーション制御画面の提供方法に関する。
【背景技術】
【０００２】
従来は、ディスプレイ装置を制御するために、数字やチャネル／音量調節キー、四方向キーで構成されたリモコンを使用してきた。しかし、従来のリモコンの制限されたキー構成により、リモコンを用いて複雑かつ多様なアプリケーションを操作するのに限界があった。更に、アプリケーション提供者も制限されたキー構成でアプリケーションを操作できるようにアプリケーションを開発しなければならないという限界があった。
【０００３】
なお、ユーザはディスプレイ装置で実行するアプリケーションをダウンロードするために別途のアプリケーションストア（Ａｐｐｌｉｃａｔｉｏｎ  Ｓｔｏｒｅ）にインストールして接続しなければならないという不都合があった。
【０００４】
従って、多様なアプリケーションに応じて最適化したアプリケーション専用操作方法を提供し、アプリケーションストアに接続することなく、アプリケーションをダウンロードするための方策への模索が求められる。
【先行技術文献】
【特許文献】
【０００５】
【特許文献１】日本特開第２００６−００５０３７８号公報
【特許文献２】日本特開第２００９−０１４１８５６号公報
【特許文献３】韓国特開第２００５−００５７７４５号公報
【特許文献４】韓国特開第２００９−００６１２４６号公報
【発明の概要】
【発明が解決しようとする課題】
【０００６】
そこで、本発明は、上記問題に鑑みてなされたものであり、本発明の目的とするところは、アプリケーションに対する実行命令が入力されると、外部機器にアプリケーションに対する制御画面を生成するための生成信号を伝送し、外部機器で制御画面を通じてユーザ命令が入力されると、受信されたユーザ命令に従ってアプリケーションの動作を操作するディスプレイ装置及びそのアプリケーション実行方法を提供することにある。
【０００７】
本発明のもう一つの目的は、ディスプレイ装置からアプリケーションの制御画面の生成信号が受信されると、アプリケーションに対応する制御画面をディスプレイする外部機器及びアプリケーション制御画面の提供方法を提供することにある。
【課題を解決するための手段】
【０００８】
前記目的を達成するための本発明の一実施形態に係るディスプレイ装置のアプリケーション実行方法は、アプリケーションに対する実行命令が入力されると、前記アプリケーションの実行画面をディスプレイするステップと、前記ディスプレイ装置を遠隔制御するための外部機器に、前記アプリケーションに対する制御画面を生成するための生成信号を伝送するステップと、前記外部機器で前記生成信号によって前記制御画面が生成され、前記制御画面を通じてユーザ命令が入力されると、前記外部機器から前記ユーザ命令を受信するステップと、前記受信されたユーザ命令に従って前記アプリケーションの動作を操作するステップとを含む。
【０００９】
そして、外部サーバから前記アプリケーション及び前記アプリケーションに対応する制御画面データを受信するステップと、前記制御画面データを前記外部機器に伝送するステップとを更に含み、前記生成信号は、前記外部機器に伝送された前記制御画面データを用いて前記制御画面を生成するようにするコマンドであってよい。
【００１０】
なお、前記生成信号は、前記アプリケーションに対応する制御画面データ及び前記制御画面を生成するようにするコマンドを含んでよい。
【００１１】
そして、前記生成信号は、前記アプリケーション専用に設計されて構成され、前記アプリケーション専用制御命令またはイメージを含むＵＩウィンドウの形態で前記制御画面を表示するようにする信号であってよい。
【００１２】
なお、前記制御画面は、特定アプリケーションに対する広告メッセージを表示するための広告領域を含んでよい。
【００１３】
そして、前記広告メッセージ生成のためのデータが外部サーバから受信されると、前記データを前記外部機器に伝送するステップを更に含んでよい。
【００１４】
なお、前記外部機器上で前記広告領域が選択されると、前記選択された広告領域に対応する前記特定アプリケーションを外部サーバからダウンロードするステップと、前記特定アプリケーションをインストールするステップとを含んでよい。
【００１５】
そして、前記特定アプリケーションは、新規でアップロードされたアプリケーションと、サービス提供者からのおすすめアプリケーションと、ユーザが指定したカテゴリに対するアプリケーション及び前記ディスプレイ装置で現在実行しているアプリケーションに関連するアプリケーションのいずれか一つであってよい。
【００１６】
前記目的を達成するための本発明の一実施形態に係るディスプレイ装置は、アプリケーションの実行画面をディスプレイするディスプレイ部と、外部サーバ及び前記ディスプレイ装置を遠隔制御する外部機器と通信を行う通信部と、前記アプリケーションに対する実行命令が入力されると、前記外部機器に前記アプリケーションに対する制御画面を生成するための生成信号を伝送し、前記外部機器で前記生成信号によって前記制御画面が生成され、前記制御画面を通じてユーザ命令が入力されると、前記外部機器から前記ユーザ命令を受信するように前記通信部を制御し、前記受信されたユーザ命令に従って前記アプリケーションの動作を操作する制御部とを含む。
【００１７】
そして、前記制御部は、前記外部サーバから前記アプリケーション及び前記アプリケーションに対応する制御画面データを受信し、前記制御画面データを前記外部機器に伝送するように前記通信部を制御し、前記生成信号は、前記外部機器に伝送された前記制御画面データを用いて前記制御画面を生成するようにするコマンドであってよい。
【００１８】
なお、前記生成信号は、前記アプリケーションに対応する制御画面データ及び前記制御画面を生成するようにするコマンドを含んでよい。
【００１９】
そして、前記生成信号は、前記アプリケーション専用に設計されて構成され、前記アプリケーション専用制御命令またはイメージを含むＵＩウィンドウの形態で前記制御画面を表示するようにする信号であってよい。
【００２０】
なお、前記制御画面は、特定アプリケーションに対する広告メッセージを表示するための広告領域を含んでよい。
【００２１】
そして、前記制御部は、前記広告メッセージ生成のためのデータが外部サーバから受信されると、前記データを前記外部機器に伝送するステップを更に含んでよい。
【００２２】
なお、前記制御部は、前記外部機器上で前記広告領域が選択されると、前記選択された広告領域に対応する前記特定アプリケーションを外部サーバからダウンロードするように前記通信部を制御し、前記特定アプリケーションをインストールしてよい。
【００２３】
そして、前記特定アプリケーションは、新規でアップロードされたアプリケーションと、サービス提供者からのおすすめアプリケーションと、ユーザが指定したカテゴリに対するアプリケーション及び前記ディスプレイ装置で現在実行しているアプリケーションに関連するアプリケーションのいずれか一つであってよい。
【００２４】
一方、前記目的を達成するための本発明の一実施形態に係るディスプレイ装置を遠隔制御する外部機器のアプリケーション制御画面の提供方法は、前記ディスプレイ装置からアプリケーションの制御画面の生成信号が受信されると、前記アプリケーションに対応する制御画面をディスプレイするステップと、前記アプリケーションに対応する制御画面によってユーザ命令が入力されると、前記ユーザ命令を前記ディスプレイ装置に伝送するステップとを含む。
【００２５】
そして、前記アプリケーションに対応する制御画面は、前記ディスプレイ装置から受信されるか、製造時から予め保存されてよい。
【００２６】
なお、前記ディスプレイ装置から特定アプリケーションに対する広告メッセージが受信されると、ディスプレイ画面の第１領域に前記特定アプリケーションに対する広告メッセージをディスプレイするステップを更に含んでよい。
【００２７】
そして、前記ディスプレイ画面の第１領域にディスプレイされた広告メッセージは、前記特定アプリケーションに対する情報を含んでよい。
【００２８】
なお、前記ディスプレイ画面の第１領域が選択されると、前記特定アプリケーションをダウンロードするか否かを決定するためのＧＵＩを生成するステップを更に含んでよい。
【００２９】
そして、前記ＧＵＩを通じて前記特定アプリケーションに対するダウンロード命令が入力されると、前記ディスプレイ装置に前記特定アプリケーションに対するダウンロード命令信号を伝送するステップを更に含んでよい。
【００３０】
一方、前記目的を達成するための本発明の一実施形態に係るディスプレイ装置を遠隔制御する外部機器は、前記ディスプレイ装置と通信を行う通信部と、ディスプレイ部と、前記ディスプレイ装置からアプリケーションの制御画面の生成信号が受信されると、前記アプリケーションに対応する制御画面をディスプレイするように前記ディスプレイ部を制御し、前記アプリケーションに対応する制御画面によってユーザ命令が入力されると、前記ユーザ命令を前記ディスプレイ装置に伝送するように前記通信部を制御する制御部とを含む。
【００３１】
そして、前記アプリケーションに対応する制御画面は、前記ディスプレイ装置から受信されるか、製造時から予め保存されてよい。
【００３２】
なお、前記制御部は、前記通信部を介して前記ディスプレイ装置から特定アプリケーションに対する広告メッセージが受信されると、ディスプレイ画面の第１領域に前記特定アプリケーションに対する広告メッセージをディスプレイするように前記ディスプレイ部を制御してよい。
【００３３】
そして、前記ディスプレイ画面の第１領域にディスプレイされた広告メッセージは、前記特定アプリケーションに対する情報を含んでよい。
【００３４】
なお、ＧＵＩ生成部を更に含み、前記制御部は、前記ディスプレイ画面の第１領域が選択されると、前記特定アプリケーションをダウンロードするか否かを決定するためのＧＵＩを生成してディスプレイするように前記ＧＵＩ生成部及び前記ディスプレイ部を制御してよい。
【００３５】
そして、前記制御部は、前記ＧＵＩを通じて前記特定アプリケーションに対するダウンロード命令が入力されると、前記ディスプレイ装置に前記特定アプリケーションに対するダウンロード命令信号を伝送するように前記通信部を制御してよい。
【発明の効果】
【００３６】
以上説明したように、本発明によれば、多様なアプリケーションに最適化したアプリケーション専用制御画面をユーザに提供することができ、アプリケーションストアのインストールまたは進むことなく、アプリケーションをダウンロードすることができるようになる。
【図面の簡単な説明】
【００３７】
【図１】本発明の一実施形態に係るアプリケーション提供システムを示す図である。
【図２】本発明の一実施形態に係るディスプレイ装置のブロック図を示す図である。
【図３】本発明の一実施形態に係る外部機器のブロック図を示す図である。
【図４Ａ】本発明の一実施形態に係るアプリケーション専用制御画面を示す図である。
【図４Ｂ】本発明の一実施形態に係るアプリケーション専用制御画面を示す図である。
【図４Ｃ】本発明の一実施形態に係るアプリケーション専用制御画面を示す図である。
【図５Ａ】本発明の一実施形態に係る特定アプリケーションを広告し、ダウンロードするためのディスプレイ画面を示す図である。
【図５Ｂ】本発明の一実施形態に係る特定アプリケーションを広告し、ダウンロードするためのディスプレイ画面を示す図である。
【図６】本発明の一実施形態に係るディスプレイ装置のアプリケーション実行方法を説明するためのフローチャートである。
【図７】本発明の一実施形態に係る外部機器のアプリケーション制御画面の提供方法を説明するためのフローチャートである。
【図８】本発明の一実施形態に係るアプリケーション提供システムのアプリケーション提供方法を説明するためのフローチャートである。
【発明を実施するための形態】
【００３８】
以下に添付図面を参照しながら、本発明の好適な実施形態について詳細に説明する。
【００３９】
図１は、本発明の一実施形態に係るアプリケーション提供システム１０を説明するための図である。図１に示すように、アプリケーション提供システム１０は、サーバ１００と、ディスプレイ装置２００及びディスプレイ装置を遠隔制御するための外部機器３００が含まれる。
【００４０】
サーバ１００は、サービス提供者によって多様なアプリケーションを提供する。具体的に、サーバ１００は、外部のディスプレイ装置２００のような電子装置にアプリケーションダウンロード要求を受信すると、外部のディスプレイ装置２００にアプリケーションを提供する。
【００４１】
このとき、サーバ１００はアプリケーションデータだけでなく、当該アプリケーション専用に設計されて構成され、アプリケーション専用制御命令またはイメージを含む制御画面データを受信することができる。
【００４２】
ディスプレイ装置２００は、放送局または外部のソース機器から映像を受信してディスプレイする一般的なディスプレイ装置機能を担う。更に、ディスプレイ装置２００はインターネットのようなネットワークを通じて外部サーバ１００と接続されて外部サーバ１００から多様なアプリケーションデータ及びアプリケーションに対応する制御画面データをダウンロードし、実行させることができる。
【００４３】
このとき、ディスプレイ装置２００にアプリケーション実行命令が入力されると、ディスプレイ装置２００は、アプリケーション実行画面をディスプレイし、外部機器３００に実行されたアプリケーションに対応する制御画面を生成するように生成信号を伝送する。特に、制御画面データが以前に外部機器３００に伝送されている場合、生成信号には外部機器３００に伝送された制御画面データを用いて制御画面を生成するようにするコマンドが含まれてよい。しかし、制御画面データが以前に外部機器３００に伝送されていない場合、生成信号にはアプリケーションに対応する制御画面データ及び制御画面を生成するようにするコマンドを含んでよい。
【００４４】
そして、外部機器３００から制御画面を用いたユーザ命令が入力されると、ディスプレイ装置１００は外部機器３００からユーザ命令を受信し、受信されたユーザ命令に従ってアプリケーション動作を操作する。
【００４５】
そして、外部サーバ１００から特定アプリケーションに対する広告メッセージが伝送されると、ディスプレイ装置２００は特定アプリケーションに対する広告メッセージを外部機器３００に伝送する。
【００４６】
そして、外部機器３００から特定アプリケーションに対するダウンロード命令信号が入力されると、ディスプレイ装置２００は外部サーバ１００に特定アプリケーションダウンロード要求信号を伝送する。そして、ディスプレイ装置２００は、外部サーバ１００から特定アプリケーションをダウンロードすることができる。
【００４７】
このとき、特定アプリケーションは新規でアップロードされたアプリケーション、サービス提供者からのおすすめアプリケーション、ユーザが指定したカテゴリに対するアプリケーション及び前記ディスプレイ装置で現在実行しているアプリケーションに関連するアプリケーションであってよい。
【００４８】
外部機器３００は、ディスプレイ装置２００を遠隔制御するための装置である。特に、外部機器３００は、ディスプレイ装置１００から伝送されたアプリケーションに対応する制御画面をディスプレイできるようにディスプレイ部を備えてよい。このとき、外部機器３００は、タブレットＰＣやスマートフォンのような携帯機器であってよい。
【００４９】
ディスプレイ装置２００からアプリケーションに対応する制御画面生成信号が受信されると、外部機器３００はアプリケーション制御画面をディスプレイする。そして、アプリケーション制御画面を通じてユーザ命令が入力されると、外部機器３００はディスプレイ装置２００にユーザ命令を伝送する。
【００５０】
そして、ディスプレイ装置２００から特定アプリケーションに対する広告メッセージを受信すると、外部機器３００はディスプレイ画面の第１領域に広告メッセージをディスプレイする。
【００５１】
そして、ユーザが広告メッセージがディスプレイされた第１領域を選択すると、外部機器３００は広告メッセージに対応する特定アプリケーションをダウンロードするか否かを問うＧＵＩメニューを生成する。そして、ＧＵＩメニューを通じて特定アプリケーションに対するダウンロード命令が受信されると、外部機器３００は特定アプリケーションに対するダウンロード命令信号をディスプレイ装置２００に伝送する。
【００５２】
上述のように、アプリケーション提供システム１０を通じて多様なアプリケーションに最適化したアプリケーション専用制御画面をユーザに提供することができ、アプリケーションストアのインストールまたは進むことなく、アプリケーションをダウンロードすることができるようになる。
【００５３】
以下では、図２ないし図３を参照して、ディスプレイ装置２００及びディスプレイ装置２００を制御する外部機器３００について、より詳細に説明する。
【００５４】
図２は、本発明の一実施形態に係るディスプレイ装置２００のブロック図を示す図である。図２に示すように、ディスプレイ装置２００は、映像入力部２１０と、映像処理部２２０と、ディスプレイ部２３０と、通信部２４０と、保存部２５０及び制御部２６０を含む。
【００５５】
映像入力部２１０は、有線または無線を通じて放送局またはソース機器（例えば、ＤＶＤやセットトップボックス等）から映像データを受信する。
【００５６】
映像処理部２２０は、映像入力部２１０を介して受信された映像データに対する信号処理を行う。具体的に、映像処理部２２０は映像データをディスプレイできるように映像データに対するデコード、スケーリング等のような信号処理作業を行う。
【００５７】
ディスプレイ部２３０は、映像処理部２２０において処理された映像信号を受信し、それを出力する。
【００５８】
通信部２４０は、外部サーバ１００及びリモートコントローラの役割を担う外部機器３００と通信を行う。このとき、通信部２４０はインターネット等のようなネットワークを通じて外部サーバ１００と通信を行うことができ、ブルートゥースモジュール、ＩＲモジュールまたはＲＦモジュールを通じて外部機器３００と通信を行うことができる。
【００５９】
保存部２５０は、ディスプレイ装置２００を駆動するための各種データを保存する。特に、保存部２５０は、通信部２４０を介して外部サーバ１００から受信した複数のアプリケーションを保存する。
【００６０】
制御部２６０は、ユーザの命令に従って、ディスプレイ装置２００の動作の全般を制御する。特に、制御部２６０は、ディスプレイ装置２００を制御するための外部機器３００にアプリケーションに対応する制御画面を実行させることができるようにディスプレイ装置２００を制御することができる。
【００６１】
具体的に、通信部２６０を介してアプリケーションデータ及びアプリケーションに対応する制御画面データを受信した場合、制御部２６０は受信されたアプリケーションをインストールし、アプリケーションに対応する制御画面データを外部機器３００に伝送する。しかし、それは一実施形態に過ぎず、アプリケーションに対応する制御画面データはアプリケーションに対する実行命令が入力されると、制御画面生成コマンドとともに外部機器３００に伝送されてよい。
【００６２】
そして、アプリケーションに対する実行命令が入力されると、制御部２６０は実行されたアプリケーションの実行画面をディスプレイするようにディスプレイ部２３０を制御し、実行されたアプリケーションに対応する制御画面をディスプレイするように制御画面生成信号を外部機器３００に伝送する。
【００６３】
このとき、制御画面生成信号には実行されたアプリケーションに対するメタデータ（例えば、タイトルや製作会社、製作日時、バージョン等）及びアプリケーションに対応する制御画面を実行させるようにするコマンドが含まれてよい。そして、以前にアプリケーションに対応する制御画面データが伝送されていない場合、生成信号にアプリケーション制御画面データが含まれてよい。
【００６４】
そして、制御画面生成信号によって生成される制御画面は実行されたアプリケーション専用に設計されて構成され、アプリケーション特性に合ったアプリケーション専用制御命令を含む。例えば、実行されたアプリケーションが運転ゲームアプリケーションである場合、制御画面は、図４Ａの右側に示されたように、ハンドルやギア等のような制御命令及びイメージを含む運転ゲームアプリケーション専用制御画面であってよい。そして、実行されたアプリケーションがチャットアプリケーションである場合、制御画面は、図４Ｂの右側に示されたように、キーボードのイメージを含むチャット専用アプリケーション専用制御画面であってよい。そして、実行されたアプリケーションが録音アプリケーションである場合、制御画面は、図４Ｃの右側に示されたように、マイクのイメージを含む録音アプリケーション専用制御画面であってよい。しかし、上述の実行形態は一例に過ぎず、多様なアプリケーションの専用制御画面が提供されてよい。例えば、数字入力が必要なアプリケーションである場合、数字を入力できる制御画面が生成されてよい。
【００６５】
その他に、制御画面には制御命令だけでなく、アプリケーションの商標やロゴやキャラクタ、製作会社等が含まれてよい。
【００６６】
そして、外部機器３００から制御画面を用いたユーザ命令が受信されると、制御部２６０は受信されたユーザ命令に従ってディスプレイ装置２００の全般を制御する。
【００６７】
そして、通信部２４０を介して外部サーバ１００から特定アプリケーションに対する広告メッセージが受信されると、制御部２６０は受信された広告メッセージを外部機器３００に伝送する。このとき、特定アプリケーションは新規でアップロードされたアプリケーション、サービス提供者からのおすすめアプリケーション、ユーザが指定したカテゴリに対するアプリケーション及び前記ディスプレイ装置で現在実行しているアプリケーションに関連するアプリケーションのいずれか一つであってよい。
【００６８】
そして、外部機器３００上にディスプレイされた広告領域が選択されると、制御部２６０は外部機器３００から選択された広告領域に対応する特定アプリケーションに対するダウンロード命令信号を受信し、特定アプリケーションを外部サーバ１００からダウンロードし、インストールすることができる。
【００６９】
図３は、本発明の一実施形態に係るディスプレイ装置２００を制御するための外部機器２００のブロック図を示す図である。図３に示すように、外部機器２００は、通信部３１０と、ディスプレイ部３２０と、ＧＵＩ生成部３３０及び制御部３４０を含む。
【００７０】
通信部３１０は、ディスプレイ装置２００と通信を行うことができる。このとき、通信部３１０は上述のように、ディスプレイ装置２００と通信を行うことができるように、ブルートゥースモジュール、ＲＦモジュールまたはＩＲモジュール等が用いられてよい。
【００７１】
ディスプレイ部３２０は、アプリケーションに対応する制御画面をディスプレイすることができる。例えば、ディスプレイ部３２０は、図４Ａないし図４Ｃの右側に示されるように、アプリケーションの専用制御画面をディスプレイすることができる。
【００７２】
なお、ディスプレイ部３２０は、ディスプレイ画面の第１領域（以下、“広告領域”）に特定アプリケーションに対する広告メッセージをディスプレイすることができる。
【００７３】
ＧＵＩ生成部３３０は、ディスプレイ画面にＯＳＤ（Ｏｎ  Ｓｃｒｅｅｎ  Ｄｉｓｐｌａｙ）形態でディスプレイされるＧＵＩ（Ｇｒａｐｈｉｃ  Ｕｓｅｒ  Ｉｎｔｅｒｆａｃｅ）を生成することができる。このとき、ＧＵＩ生成部３３０は、広告領域に対応するアプリケーションをダウンロードするか否かを確認するメニューウィンドウを生成することができる。
【００７４】
制御部３４０は、ユーザの命令に従って、外部機器３００の動作全般を制御する。特に、制御部３４０は、ディスプレイ装置２００で実行されたアプリケーションに対応する制御画面をディスプレイすることができる。
【００７５】
具体的に、ディスプレイ装置２００からアプリケーションに対応する制御画面生成信号が受信されると、制御部３４０は、アプリケーションに対応する制御画面を生成してディスプレイするようにディスプレイ部３２０を制御する。このとき、生成された制御画面の一例を、図４Ａないし図４Ｃを示している。
【００７６】
そして、生成された制御画面を用いてユーザ命令が入力された場合、制御部３４０はアプリケーションに対するユーザ命令をディスプレイ装置２００に伝送する。
【００７７】
そして、ディスプレイ装置２００から特定アプリケーションに対する広告メッセージを受信すると、制御部３４０は広告領域に特定アプリケーションに対する広告メッセージをディスプレイするようにディスプレイ部３２０を制御する。例えば、制御部３４０は、図５Ａに示すように、制御画面の下段に広告領域５１０がディスプレイされるようにディスプレイ部３２０を制御する。
【００７８】
このとき、広告領域にディスプレイされる広告メッセージはアプリケーションのタイトル、イメージ、情報等が含まれてよい。
【００７９】
そして、図５Ａに示された広告領域がユーザによって選択（例えば、広告領域がタッチ）されると、制御部３４０は、図５Ｂに示すように、広告領域に対応するアプリケーションをダウンロードするか否かを確認するメニュー５２０を生成できるようにＧＵＩ生成部３３０を制御する。
【００８０】
そして、ユーザからメニュー５２０を通じてダウンロード命令が入力されると、制御部３４０は特定アプリケーションに対するダウンロード命令信号をディスプレイ装置２００に伝送する。
【００８１】
上述のように、ディスプレイ装置２００及び外部機器３００を介して、ユーザは多様なアプリケーションに最適化したアプリケーション専用制御画面が提供されてよく、アプリケーションストアのインストールまたは進むことなく、ユーザ所望のアプリケーションをダウンロードすることができるようになる。
【００８２】
以下では、図６ないし図８を参照して、アプリケーション提供方法について説明する。
【００８３】
図６は、本発明の一実施形態に係るディスプレイ装置２００のアプリケーション実行方法を説明するためのフローチャートである。まず、ディスプレイ装置２００はユーザからアプリケーション実行命令が入力されているか否かを判断する（Ｓ６１０）。ユーザからアプリケーション実行命令が入力されると（Ｓ６１０−Ｙ）、ディスプレイ装置２００は実行命令が入力されたアプリケーションの実行画面をディスプレイする（Ｓ６２０）。
【００８４】
そして、ディスプレイ装置２００は、実行命令が入力されたアプリケーションに対応する制御画面を生成することができるように外部機器３００に制御画面生成信号を伝送する（Ｓ６３０）。このとき、制御画面生成信号には、制御画面を生成せよというコマンド及び実行命令が入力されたアプリケーションのメタデータが含まれてよい。しかし、以前にアプリケーションに対応する制御画面データが外部機器３００に伝送されていない場合、制御画面生成信号にアプリケーションに対応する制御画面データが含まれてよい。
【００８５】
そして、外部機器３００から制御画面を用いたユーザ命令が入力されると（Ｓ６４０−Ｙ）、ディスプレイ装置２００はユーザ命令を受信し（Ｓ６５０）、ユーザ命令に従ってアプリケーション動作を操作する（Ｓ６６０）。
【００８６】
図７は、本発明の一実施形態に係るディスプレイ装置２００を制御するための外部機器３００のアプリケーション制御画面の提供方法を説明するためのフローチャートである。
【００８７】
まず、外部機器３００は、ディスプレイ装置２００から制御画面の生成信号を受信しているか否かを判断する（Ｓ７１０）。そして、ディスプレイ装置２００から制御画面生成信号が受信されると（Ｓ７１０−Ｙ）、外部機器３００はアプリケーションの制御画面をディスプレイする（Ｓ７２０）。このとき、制御画面は、図４Ａないし図４Ｃに示すように、実行されたアプリケーション専用に設計されて構成され、アプリケーション特性に合ったアプリケーション専用制御命令を含む。その他に、制御画面には制御命令だけでなく、アプリケーションの商標ロゴ、キャラクタ、製作会社等が含まれてよい。
【００８８】
そして、外部機器３００は、制御画面を通じてユーザ命令が入力されているか否かを判断する（Ｓ７３０）。ユーザ命令が入力された場合（Ｓ７３０−Ｙ）、外部機器３００は、入力されたユーザ命令をディスプレイ装置２００に伝送する（Ｓ７４０）。
【００８９】
図８は、本発明の一実施形態に係るアプリケーション提供システム１０のアプリケーション提供方法を説明するためのフローチャートである。まず、サーバ１００は、ディスプレイ装置２００にアプリケーション及びアプリケーション制御画面データを伝送する（Ｓ８０５）。そして、ディスプレイ装置２００は、サーバ１００から受信されたアプリケーションをインストールし、アプリケーションの制御画面データを外部機器３００に再び伝送する（Ｓ８１０）。
【００９０】
その後、ディスプレイ装置２００は、インストールされたアプリケーションに対する実行命令が入力されているか否かを判断する（Ｓ８１５）。実行命令が入力されている場合（Ｓ８１５−Ｙ）、ディスプレイ装置２００はアプリケーション実行画面をディスプレイする（Ｓ８２０）。そして、ディスプレイ装置２００は、実行命令が入力されたアプリケーションに対応する制御画面の生成信号を外部機器３００に伝送する（Ｓ８２５）。
【００９１】
外部機器３００がディスプレイ装置２００から生成信号を受信すると（Ｓ８２５）、外部機器３００は実行命令が入力されたアプリケーションに対応する制御画面をディスプレイする（Ｓ８３０）。そして、外部機器３００は、制御画面を通じてユーザ命令を受信し（Ｓ８３５）、入力されたユーザ命令をディスプレイ装置２００に伝送する（Ｓ８４０）。そして、ディスプレイ装置２００は伝送されたユーザ命令に従ってアプリケーションを動作する（Ｓ８４５）。
【００９２】
そして、サーバ１００が特定アプリケーションに対する広告メッセージをディスプレイ装置２００に伝送すると（Ｓ８５０）、ディスプレイ装置２００は特定アプリケーションに対する広告メッセージを外部機器３００に伝送する（Ｓ８５５）。ディスプレイ装置２００から特定アプリケーションに対する広告メッセージが伝送されると、外部機器２００は、図５Ａに示すように、ディスプレイ画面の広告領域に特定アプリケーションの広告メッセージをディスプレイする（Ｓ８６０）。
【００９３】
そして、特定アプリケーションに対するダウンロード命令が入力されると、外部機器３００は特定アプリケーションに対するダウンロード命令信号をディスプレイ装置２００に伝送する（Ｓ８６５）。ディスプレイ装置２００にダウンロード命令信号が伝送されると、ディスプレイ装置２００はサーバ１００に特定アプリケーションに対するダウンロード要求信号を伝送し（Ｓ８７０）、サーバ１００から特定アプリケーションを受信する（Ｓ８７５）。
【００９４】
上述のようなアプリケーション提供方法により、多様なアプリケーションに最適化したアプリケーション専用制御画面をユーザに提供することができ、アプリケーションストアのインストールまたは進むことなく、アプリケーションをダウンロードすることができるようになる。
【００９５】
一方、上述の実施形態においては、外部機器３００がディスプレイ装置２００からアプリケーションに対応する制御画面データを受信するものとして説明したが、それは一実施形態に過ぎず、制御画面データが製造時から予め保存されているか、サーバ１００に直接受信することも可能である。
【００９６】
なお、上述の実施形態では、外部機器３００がディスプレイ装置２００から広告メッセージを受信するものとして説明したが、それは一実施形態に過ぎず、サーバ１００から直接広告メッセージを受信することができる。
【００９７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2013045467.tif 000003
【図２】
2013045467.tif 000004
【図３】
2013045467.tif 000005
【図４Ａ】
2013045467.tif 000006
【図４Ｂ】
2013045467.tif 000007
【図４Ｃ】
2013045467.tif 000008
【図５Ａ】
2013045467.tif 000009
【図５Ｂ】
2013045467.tif 000010
【図６】
2013045467.tif 000011
【図７】
2013045467.tif 000012
【図８】
2013045467.tif 000013